(57)【要約】【課題】タンクを大型化することなく、水の漏出を確実に防止する。【解決手段】除湿機本体１０と、除湿手段（ロータ３１，ファン３８，ヒータ４０，熱交換器４２）と、送風手段（ファン５０Ａ，５０Ｂ）と、除湿した水を貯水するタンク５２と、タンク５２内の水の満水を検出する満水検出手段（重量センサ５６）とを備えた除湿機において、除湿機本体１０が傾いた角度を検出する傾斜角検出手段（傾きセンサ６５）と、傾斜角検出手段の検出値に基づいて満水検出手段による満水判定レベルを変更する満水量変更手段（マイコン６３）とを設けた構成とする。【選択図】図１
2006043658.tif 000002
【特許請求の範囲】
【請求項１】
吸込口と吹出口とを連通する除湿通路を有する除湿機本体と、
前記除湿通路間に配設され、通過する空気中に含まれる水分を除去する除湿手段と、
前記吸込口から除湿通路に外気を取り入れ、前記除湿手段を通過させて除湿した空気を前記吹出口から排出する送風手段と、
前記除湿手段により除湿した水を貯水するタンクと、
タンク内の水の満水を検出する満水検出手段と
を備えた除湿機において、
前記除湿機本体が傾いた角度を検出する傾斜角検出手段と、
前記傾斜角検出手段の検出値に基づいて前記満水検出手段による満水判定レベルを変更する満水量変更手段と
を設けたことを特徴とする除湿機。
【請求項２】
前記満水量変更手段は、満水検出後に傾斜角検出手段による検出値が変動し、非満水状態になったと判断すると、前記除湿手段および送風手段による除湿動作が再開されることを特徴とする請求項１に記載の除湿機。
【請求項３】
前記タンクの装着の有無を検出するタンク検出手段を更に設け、前記満水量検出手段が満水状態になったと判断すると、前記タンク検出手段によってタンクの取り外しおよび装着を検出するまで前記除湿手段および送風手段による除湿動作を不可能としたことを特徴とする請求項１に記載の除湿機。
【請求項４】
前記タンク検出手段は、前記タンクの上端開口に着脱可能に装着する蓋体に干渉することにより検出するものであることを特徴とする請求項３に記載の除湿機。
【発明の詳細な説明】
【技術分野】
【０００１】
本発明は、除湿機に関するものである。
【背景技術】
【０００２】
この種の除湿機は、除湿機本体内が除湿通路と再生通路とに区画され、これら通路に跨って円板状の除湿ロータが回転可能に配設されている。前記除湿通路には、室内の空気を吸込口から吸引し、吹出口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、除湿機本体内には、前記再生通路の一部を構成する熱交換器が配設されている。
【０００３】
そして、前記除湿通路では、吸引した室内の空気（外気）が前記除湿ロータを通過することにより、空気に含まれた水分を吸着して除湿し、乾燥した空気として吹出口から室内に循環供給する構成としている。また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分が取り除かれ、結露した水がタンクに回収される。なお、このタンクに回収された水は、フロートとマイクロスイッチとを用いた機械式の満水検出機構や、磁石とリードスイッチとを用いた磁気式の満水検出機構により満水を検出し、満水を検出すると除湿動作を停止する構成としている。
【０００４】
本発明の除湿機に関連する先行技術文献情報としては次のものがある。
【０００５】
【特許文献１】特開２００１−２０８３７２号公報
【０００６】
この特許文献１では、前記タンクに貯留した水をこぼれ難くするために、前記タンクの上端開口を閉塞する蓋体を設けた除湿機が提供されている。
【０００７】
しかしながら、タンクは、除湿機本体と設置する床との間に異物が介在している場合などには、機器自体が傾くため、貯水可能な容量が同一であっても水が漏出することがある。また、特許文献１の除湿機では、タンクの開口を蓋体により閉塞するため、この状態でも水の漏出を抑制することはできるが、確実に防止することはできない。因みに、除湿機本体を許容角度で傾けた状態で満水位置を設定すれば、タンク内の水が漏出することを更に抑制することは可能であるが、この場合には、貯水可能な容量が少なくなる一方、容量を確保するにはタンクは勿論、除湿機全体が大型化するという問題がある。
【発明の開示】
【発明が解決しようとする課題】
【０００８】
そこで、本発明では、タンクを大型化することなく、水の漏出を確実に防止できる除湿機を提供することを課題とするものである。
【課題を解決するための手段】
【０００９】
前記課題を解決するため、本発明の除湿機は、吸込口と吹出口とを連通する除湿通路を有する除湿機本体と、前記除湿通路間に配設され、通過する空気中に含まれる水分を除去する除湿手段と、前記吸込口から除湿通路に外気を取り入れ、前記除湿手段を通過させて除湿した空気を前記吹出口から排出する送風手段と、前記除湿手段により除湿した水を貯水するタンクと、タンク内の水の満水を検出する満水検出手段とを備えた除湿機において、前記除湿機本体が傾いた角度を検出する傾斜角検出手段と、前記傾斜角検出手段の検出値に基づいて前記満水検出手段による満水判定レベルを変更する満水量変更手段とを設けた構成としている。
【００１０】
この除湿機によれば、傾斜角検出手段の検出値に基づいてタンクの満水検出手段による満水判定レベルを変更する構成としているため、如何なる状況でも、タンクからの水の漏出を防止できるとともに、水が漏出しない最大限の貯水量を確保することができる。
【００１１】
この除湿機では、前記満水量変更手段は、満水検出後に傾斜角検出手段による検出値が変動し、非満水状態になったと判断すると、前記除湿手段および送風手段による除湿動作が再開されることが好ましい。このようにすれば、ユーザの利便性を向上することができる。
【００１２】
または、前記タンクの装着の有無を検出するタンク検出手段を更に設け、前記満水量検出手段が満水状態になったと判断すると、前記タンク検出手段によってタンクの取り外しおよび装着を検出するまで前記除湿手段および送風手段による除湿動作を不可能としてもよい。このようにすれば、タンクから水が漏出する問題を更に確実に防止できる。
【００１３】
この場合、前記タンク検出手段は、前記タンクの上端開口に着脱可能に装着する蓋体に干渉することにより検出することが好ましい。このようにすれば、タンクに貯水する容量を更に広げることができるうえ、水の漏出を確実に防止できる。
【発明の効果】
【００１４】
本発明の除湿機では、傾斜角検出手段の検出値に基づいてタンクの満水検出手段による満水判定レベルを変更する構成としているため、如何なる状況でも、タンクからの水の漏出を防止できるとともに、タンクを大型化することなく、水が漏出しない最大限の貯水量を確保することができる。
【発明を実施するための最良の形態】
【００１５】
以下、本発明の実施の形態を図面に従って説明する。
【００１６】
図１および図２は、本発明の実施形態に係る除湿機を示す。この除湿機は、図２に示すように、大略、矩形状をなす除湿機本体１０の内部を除湿通路１１と再生通路１２とに区画し、その内部に、除湿手段を構成する除湿ロータ３１、再生空気循環ファン３８、加熱ヒータ４０および熱交換器４２と、送風手段を構成する室内空気循環ファン５０Ａ，５０Ｂとを水平方向に配設するとともに、下部にタンク５２を配設したものである。
【００１７】
前記除湿機本体１０は、図３（Ａ），（Ｂ）に示すように、基枠１３の前後に前カバー１４と後カバー１５とを配設したものである。前記前カバー１４の上部にはルーバー１６を備えた吹出口１７が形成されている。前記後カバー１５には、垂直方向に延びる複数のスリットからなる吸込口１８が形成されている。また、除湿機本体１０には、前記基枠１３にカバー１４，１５を組み付けることにより、その下部にタンク収容室１９が形成される。
【００１８】
前記基枠１３の前面側には、図４に示すように、一対のインボリュート通路を構成する壁２０ａ，２０ｂを備えるとともに開口された室内空気循環ファン配設部２０Ａ，２０Ｂと、再生空気循環ファン配設部２１と、該再生空気循環ファン配設部２１から後述する加熱ヒータ配設部２６にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁部２４が設けられている。さらに、前記室内空気循環ファン配設部２０Ａ，２０Ｂの間には、除湿通路１１の一部を構成する開口部２５が設けられている。
【００１９】
また、基枠１３の後面側には、図５および図６に示すように、前側に加熱ヒータ配設部２６と、除湿ロータ配設部２７と、前記再生空気循環ファン配設部２１に連通する円筒状のダクト２８とが設けられている。前記加熱ヒータ配設部２６は、前記ダクト部材と連通している。除湿ロータ配設部２７は、図６に示すように、後述する除湿ロータ３１の保持部材３４の下端縁より肉厚の周壁２９の上面に、ガイド用の凹溝３０を設けたものである。
【００２０】
なお、前記再生通路１２は、再生空気循環ファン配設部２１、該配設部と連通したダクト部２２、該ダクト部２２と連通した加熱ヒータ配設部２６、該配設部２６と対応するように除湿ロータ３１の反対側に配設したロータカバー３６、および、該ロータカバー３６に接続するとともに前記再生空気循環ファン配設部２１に接続する熱交換器４２により構成される。そして、この区画された再生通路１２および前記タンク収容室１９を除く除湿機本体１０内が、前記除湿ロータ３１を介して吸込口１８と吹出口１７とを連通させる除湿通路１１を構成する。
【００２１】
前記除湿ロータ３１は、その約３／４が除湿通路１１内に位置し、約１／４が再生通路１２内に位置するように、前記両通路１１，１２に跨って駆動モータ３２により回転可能に配設した円板状のものである。具体的には、この除湿ロータ３１は、図５および図６に示すように、ゼオライトまたはシリカゲルを結合させたメッシュ状のセラミックハニカムからなるロータ本体３３を、樹脂製の保持部材３４によって保持させたものである。この保持部材３４の外壁部には、駆動モータ３２の出力軸に配設した歯車３２ａに噛み合う複数の凸状歯３５が設けられている。なお、この除湿ロータ３１は、除湿動作中には、約２分で１回転するように、前記駆動モータ３２の回転数および歯車３２ａと凸状歯３５とのギア比が設定されている。
【００２２】
前記除湿ロータ３１において、加熱ヒータ４０を収容するヒータケース４１との対応位置には、ロータカバー３６が配設される。このロータカバー３６には、熱交換器４２の流入口４６が接続される接続部３７が設けられている。
【００２３】
前記再生空気循環ファン３８は、前記再生通路１２内において、前記再生空気循環ファン配設部２１に配設され、モータ３９の駆動により回転する。これにより、図２に破線の矢印で示すように、再生通路１２内の再生空気を、ダクト部２２を介して加熱ヒータ４０のヒータケース４１内に供給し、除湿ロータ３１、および、熱交換器４２の順で循環させるものである。
【００２４】
前記加熱ヒータ４０は、前記除湿ロータ３１の前方に配設され、図示しない電源回路からの供給電力により発熱し、再生空気および除湿ロータ３１を加熱するものである。この加熱ヒータ４０は、連続した１巻きのコイルからなり、前記再生通路１２を構成するヒータケース４１を介して前記加熱ヒータ配設部２６に配設される。
【００２５】
前記熱交換器４２は、前記除湿通路１１内において、前記除湿ロータ３１の背面側に配設されるとともに前記再生通路１２の一部を構成するもので、図７（Ａ），（Ｂ）に示すように、真空成形または圧空成形により形成した一対のパネル４３Ａ，４３Ｂを溶着した樹脂製のものである。各パネル４３Ａ，４３Ｂは、互いに対称に位置する複数の仕切用凹条４４Ａ，４４Ｂを備え、これら仕切用凹条４４Ａ，４４Ｂを除く部位により再生空気を通過させる複数の流路４５が形成されている。また、一方のパネル４３Ａには、加熱ヒータ４０を収容するヒータケース４１の形状と対応する扇形状の流入口４６と、基枠１３のダクト２８と対応する円形状の流出口４７と、結露水をタンク５２に排水するためのドレン部４８とが設けられている。さらに、貼り合わされた仕切用凹条４４Ａ，４４Ｂの部位には、吸引した空気を流通させるための通孔４９が設けられている。
【００２６】
前記室内空気循環ファン５０Ａ，５０Ｂは、前記除湿通路１１内において、室内空気循環ファン配設部２０Ａ，２０Ｂに配設される一対のシロッコファンで構成され、それぞれモータ５１Ａ，５１Ｂの駆動により回転する。これにより、図２に実線の矢印で示すように、後カバー１５の吸込口１８から室内の空気を吸引し、前記除湿ロータ３１によって除湿した乾燥空気を前カバー１４の吹出口１７から室内に循環供給するものである。
【００２７】
なお、本実施形態では、第１の室内空気循環ファン５０Ａは前記室内空気循環ファン配設部２０Ａに配設され、そのモータ５１Ａは、回転が早い「強」運転と、回転が遅い「弱」運転とが可能な変速機能を有するものを用いている。また、第２の室内空気循環ファン５０Ｂは前記室内空気循環ファン配設部２０Ｂに配設され、そのモータ５１Ｂは、回転が早い「強」運転のみが可能なものを用いている。
【００２８】
前記タンク５２は、除湿した水を貯水するもので、図３（Ｂ）および図５に示すように、上面開口の箱体形状をなし、その上端開口を蓋体５３により閉塞したものである。この蓋体５３には、後述するサブタンク５７の下方に位置するように案内孔５４が設けられるとともに、該案内孔５４の三方を囲繞するように弁動作部材５８を押圧する平面視略凹字形状の押圧部５５が設けられている。
【００２９】
前記タンク５２を着脱可能に配設するタンク収容室１９には、その下部にタンク５２内の水の満水を検出するための満水検出手段として重量センサ５６が配設されている。また、タンク収容室１９の上部には、水を一時的に貯水可能なサブタンク５７が設けられている。
【００３０】
前記重量センサ５６は、タンク５２の重量を直接検出するもので、タンク収容室１９の底面に配設されている。この重量センサ５６としては、小型でかつ防水対策が施され、検出データをリード線を介して送信可能なものであれば、いずれでも使用できる。
【００３１】
前記サブタンク５７は、上端開口の箱体形状をなし、その正面（図５中左）側には、水平方向に移動可能な弁動作部材５８が配設され、この弁動作部材５８に弁５９が配設されている。この弁動作部材５８は、スプリングによって前記弁５９で閉塞する液通孔が常閉状態を維持するように構成されており、タンク５２を装着することにより前記押圧部５５が当接して開弁する。また、この弁動作部材５８には、分岐したマイクロスイッチ動作部５８ａが設けられ、対応位置に配設したタンク検出手段であるマイクロスイッチ６０がオン状態になることにより蓋体５３により閉塞したタンク５２の装着を検出し、オフ状態になることによりタンク５２の未装着または蓋体５３の未装着を検出できる。
【００３２】
前記基枠１３の上部には、図３（Ａ），（Ｂ）および図１に示すように、除湿動作を開始したり選択するための入力手段であるスイッチ、および、除湿動作の選択状態やタンク５２の満水状態を表示する表示手段であるＬＥＤを配置した操作パネル６１が配設されている。
【００３３】
このように構成された除湿機には、前記操作パネル６１の背部に制御基板６２が配設され、その制御基板６２に実装した制御手段であるマイコン６３により、記憶手段６４に予め記憶されたプログラムに従って前記各構成部品が動作される。
【００３４】
具体的には、前記マイコン６３は、操作パネル６１の電源スイッチがオン状態になり、除湿機本体１０のタンク収容室１９にタンク５２がセットされ、かつ、満水状態でない場合に、前記除湿ロータ３１の駆動モータ３２、再生空気循環ファン３８のモータ３９、加熱ヒータ４０、および、室内空気循環ファン５０Ａ，５０Ｂのモータ５１Ａ，５１Ｂに対して電力を通電し、ユーザが選択したモードおよび風量で除湿動作を開始する。また、タンク５２内が満水状態になると、前記各構成部品への通電を停止して除湿動作を停止するものである。
【００３５】
また、本実施形態では、前記制御基板６２には、除湿機本体１０が傾いた角度を検出する傾斜角検出手段として傾きセンサ６５が実装されている。この傾きセンサ６５としては、シリコンセンサーチップをセラミックパッケージに気密封止した日立金属株式会社製の３軸加速度センサ（型式：Ｈ４８Ｂ）が使用可能である。そして、マイコン６３は、満水量変更手段の役割をなし、前記傾きセンサ６５の検出値に基づいて前記重量センサ５６による満水判定レベルを変更する構成としている。なお、この満水を判定するためのデータテーブルは、前記記憶手段６４に予め記憶されている。
【００３６】
例えば、本実施形態のタンク５２は、前後面の水平方向の幅寸法が１２０ｍｍ、左右側面の水平方向の奥行き寸法が３５５ｍｍの長方形状をなし、その深さ寸法が１０５ｍｍである。そして、このタンク５２は、奥行きが手前から先端まで若干先細に形成されるととともに、所定部位に内向きに窪む部分を形成しているため、上端開口まで水を収容した場合の容量は２５４０ｍｌで、タンク５２の重量を含めると３０１０ｇとなる。そして、前記傾きセンサ６５によって検出した傾斜角度に基づいて、満水になったと判断する満水判定レベルは下記の表１のように変更する構成としている。
【００３７】
【表１】
2006043658.tif 000003
【００３８】
前記表１に示すように、除湿機本体１０を設置した場所に基づく傾斜角度が０度の場合には、タンク５２の最大容量である２５４０ｍｌを満水量に設定し、重量センサ５６による検出値を３０１０ｇに設定している。また、傾斜角度が左に５度傾いた場合には、２５３４ｍｌを満水量に設定し、重量センサ５６による検出値を３００４ｇに設定している。また、傾斜角度が左に１０度傾いた場合には、２４９８ｍｌを満水量に設定し、重量センサ５６による検出値を２９６８ｇに設定している。また、傾斜角度が右に５度傾いた場合には、２４８４ｍｌを満水量に設定し、重量センサ５６による検出値を２９５４ｇに設定している。また、傾斜角度が右に１０度傾いた場合には、２４３６ｍｌを満水量に設定し、重量センサ５６による検出値を２９０６ｇに設定している。さらに、傾斜角度が左右に１０度を超えて傾いた場合には、除湿した水をタンク５２まで正常に案内できない可能性があるとともに、各部品を正規に動作させることができない可能性があるため、除湿動作自体を停止させる構成としている。
【００３９】
また、本実施形態では、傾きセンサ６５の検出値に基づいて満水量を設定し、重量センサ５６を介して満水量に至ったことを判断した後、傾きセンサ６５による検出値が変動し、非満水状態になったと判断すると、言い換えれば、その傾斜角度で未だ貯水可能余地があると判断すると、除湿動作を再開させる構成としている。
【００４０】
次に、マイコン６３による第１実施形態の制御について具体的に説明する。
【００４１】
この除湿機のマイコン６３は、電源コードが商用電源に接続されることにより動作可能な状態になると、図８に示すように、まず、ステップＳ１で、運転スイッチが除湿動作を開始（入）させるように操作されるまで待機する。そして、開始させるように操作された場合にはステップＳ２に進み、蓋体５３を装着したタンク５２がタンク収容室１９に装着されることによりマイクロスイッチ６０がオン状態になるまで待機する。
【００４２】
マイクロスイッチ６０がオン状態になると、ステップＳ３で、傾きセンサ６５によって除湿機本体１０の傾斜角を検出し、ステップＳ４で、満水レベル変更処理を実行してステップＳ５に進む。ここで、この満水レベル変更処理は、傾きセンサ６５の検出値と対応する満水判断データを記憶手段６４のデータテーブルから読み込み、その読み込んだ満水と判断するデータ（重量）を設定するものである。
【００４３】
ステップＳ５では、除湿ロータ３１の駆動モータ３２および再生空気循環ファン３８のモータ３９を動作させるとともに、選択された除湿モードに基づいて加熱ヒータ４０および室内空気循環ファン５０Ａ，５０Ｂのモータ５１Ａ，５１Ｂを動作させて除湿制御処理を実行する。
【００４４】
ついで、ステップＳ６で、重量センサ５６を介してその傾斜角でのタンク５２の満水を検知したか否かを検出する。そして、満水を検出しない場合にはステップＳ７に進み、満水を検出した場合にはステップＳ１２に進む。
【００４５】
ステップＳ７では、電源スイッチにより除湿動作を停止（切）させるように操作されたか否かを検出する。そして、停止させるように操作されない場合にはステップＳ８に進み、停止させるように操作された場合にはステップＳ１１に進む。
【００４６】
ステップＳ８では、傾きセンサ６５によって除湿機本体１０の傾斜角を検出し、ステップＳ９で、ユーザが除湿機本体１０を移動させる等により傾斜角に変動が有るか否かを判断する。そして、傾斜角に変動があった場合にはステップＳ１０に進み、傾斜角に変動がない場合にはステップＳ５に戻り、除湿動作を続行する。
【００４７】
ステップＳ１０では、変動した傾斜角が許容範囲内であるか否か、即ち、転倒を意味する角度を越えたか否かを検出する。そして、許容範囲内である場合にはステップＳ４に戻り、満水レベル変更処理を実行する。一方、許容範囲外である場合には、ステップＳ１１に進む。
【００４８】
除湿動作を停止させるように操作された場合、および、許容範囲を超えて除湿機本体１０が傾いた場合には、ステップＳ１１で、除湿動作の停止処理を実行した後、ステップＳ１に戻る。
【００４９】
一方、ステップＳ６で、タンク５２の満水を検出した場合には、ステップＳ１２で、除湿動作の一時停止処理を実行した後、ステップＳ１３で、傾きセンサ６５によって除湿機本体１０の傾斜角を検出し、ステップＳ１４で、ユーザが除湿機本体１０を移動させる等により傾斜角に変動が有るか否かを検出する。そして、傾斜角に変動があった場合にはステップＳ１５に進み、傾斜角に変動がない場合にはステップＳ１７に進む。
【００５０】
ステップＳ１５では、満水レベル変更処理を実行した後、ステップＳ１６で、変更した満水量まで未だ余裕があり貯水可能であるか否かを重量センサ５６を介して検出する。そして、貯水可能である場合にはステップＳ５に戻り、除湿動作を再開させる。また、貯水不可能である場合にはステップＳ１３に戻る。
【００５１】
また、ステップＳ１７では、タンク検出手段であるマイクロスイッチ６０がオフ状態からオン状態になったか否か、即ち、ユーザがタンク５２を取り外すことによりマイクロスイッチ６０が一旦オフ状態になり、タンク５２内の水を排水して再びタンク収容室１９に装着することによりマイクロスイッチ６０がオン状態になったか否かを検出する。そして、マイクロスイッチ６０がオフ状態からオン状態になった場合にはステップＳ１８に進み、オフ状態からオン状態になっていない場合にはステップＳ１３に戻る。
【００５２】
ステップＳ１８では、重量センサ５６を介して満水検知が解除されたか否かを検出する。そして、満水検知が解除された場合にはステップＳ５に戻り、除湿動作を再開させる。また、満水検知が解除されない場合にはステップＳ１３に戻る。
【００５３】
このように、本発明の除湿機では、傾斜角検出手段である傾きセンサ６５の検出値に基づいてタンク５２の満水検出手段である重量センサ５６による満水判定レベル（値）を変更する構成としているため、如何なる状況でも、タンク５２からの水の漏出を防止できるとともに、タンクを大型化することなく、水が漏出しない最大限の貯水量を確保することができる。
【００５４】
また、本実施形態では、重量センサ５６を介して満水を検出した後に傾きセンサ６５による検出値が変動し、非満水状態になったと判断すると、除湿動作を再開させる構成としているため、ユーザの利便性を向上することができる。しかも、タンク５２には、上端開口を閉塞する蓋体５３を設けているため、タンク５２に貯水可能な容量を更に広げることができるうえ、水の漏出を確実に防止できる。
【００５５】
図９は、第２実施形態のマイコン６３による制御を示す。この第２実施形態では、重量センサ５６を介して満水状態になったと判断すると、タンク検出手段であるマイクロスイッチ６０によってタンク５２の取り外しおよび装着を検出し、満水状態が解除されるまで、除湿動作を再開不可能とした点で第１実施形態と相違している。
【００５６】
即ち、電源が投入されると、マイコン６３は、ステップＳ１からステップＳ１２で、第１実施形態と同様の制御を行う。そして、ステップＳ６で満水状態を検出し、ステップＳ１２で除湿動作の一時停止処理を実行すると、ついで、ステップＳ１３'で、マイクロスイッチ６０がオフ状態からオン状態になったか否か、即ち、ユーザがタンク５２を取り外すことによりマイクロスイッチ６０が一旦オフ状態になり、タンク５２内の水を排水して再びタンク収容室１９に装着することによりマイクロスイッチ６０がオン状態になったか否かを検出するまで待機する。
【００５７】
そして、マイクロスイッチ６０がオフ状態からオン状態になった場合にはステップＳ１４'で、重量センサ５６を介して満水検知が解除されたか否かを検出する。そして、満水検知が解除された場合にはステップＳ５に戻り、除湿動作を再開させる。また、満水検知が解除されない場合にはステップＳ１３に戻る。
【００５８】
このように構成した第２実施形態の除湿機では、第１実施形態と同様に、如何なる状況でも、タンク５２からの水の漏出を防止できるとともに、タンク５２を大型化することなく、水が漏出しない最大限の貯水量を確保することができる。しかも、タンク５２の満水状態を一旦検出すると、タンク５２が取り外され、かつ、満水が解除されなければ除湿動作が再開されないため、タンク５２から水が漏出する問題を更に確実に防止できる。
【００５９】
なお、本発明の除湿機は、前記実施形態の構成に限定されるものではなく、種々の変更が可能である。
【００６０】
例えば、前記実施形態では、タンク５２内の満水を検出するための手段として重量センサ５６を用いたが、超音波センサを満水量検出手段として使用してもよい。また、タンク５２の装着状態を検出する手段を、蓋体５３に設けた押圧部５５とマイクロスイッチ６０とで構成したが、蓋体５３に配設した磁石とリードスイッチにより構成してもよい。このように、満水検出手段およびタンク検出手段は、希望に応じて種々の変更が可能である。
【図面の簡単な説明】
【００６１】
【図１】本発明の実施形態に係る除湿機の構成を示すブロック図である。
【図２】除湿機を示す概略図である。
【図３】（Ａ），（Ｂ）は除湿機の具体的構成を示す断面図である。
【図４】基枠の前面側の構成を示す分解斜視図である。
【図５】除湿機の後面側の構成を示す背面図である。
【図６】基枠と除湿ロータとの関係を示す分解斜視図である。
【図７】（Ａ）は熱交換器の正面図、（Ｂ）は（Ａ）の要部拡大断面図である。
【図８】マイコンによる第１実施形態の制御を示すフローチャートである。
【図９】マイコンによる第２実施形態の制御を示すフローチャートである。
【符号の説明】
【００６２】
１０…除湿機本体
１１…除湿通路
１２…再生通路
３１…除湿ロータ（除湿手段）
３８…再生空気循環ファン（除湿手段）
４０…加熱ヒータ（除湿手段）
４２…熱交換器（除湿手段）
５０Ａ，５０Ｂ…室内空気循環ファン（送風手段）
５２…タンク
５３…蓋体
５６…重量センサ（満水検出手段）
６０…マイクロスイッチ（タンク検出手段）
６３…マイコン（満水量変更手段）
６５…傾きセンサ（傾斜角検出手段）
【図１】
2006043658.tif 000004
【図２】
2006043658.tif 000005
【図３】
2006043658.tif 000006
【図４】
2006043658.tif 000007
【図５】
2006043658.tif 000008
【図６】
2006043658.tif 000009
【図７】
2006043658.tif 000010
【図８】
2006043658.tif 000011
【図９】
2006043658.tif 000012